(57)【要約】    【課題】  アイドルストップ車両においてエンジン再始動時に車両が前方移動するのを確実に防止し、運転者のブレーキ操作性が低減しないようにすることを課題とする。    【解決手段】  車両１はエンジン自動停止・再始動手段２０を備える。該手段２０は、車速やブレーキ操作状態等の複数の車両運転状態を検出する運転状態検出手段３１，３２の検出結果に応じて、車両１の停車時に所定のエンジン停止条件Ｊ１が成立したときはエンジン１０を自動停止させる一方、該エンジン１０の自動停止状態において所定のエンジン再始動条件Ｊ２が成立したときにはエンジン１０を再始動させる。エンジン自動停止・再始動手段２０は、上記エンジン再始動条件Ｊ２として、ブレーキペダル３０の踏込速度が所定速度以上で且つ該ブレーキペダル３０の踏込量が所定量を超えたときにエンジン１０を再始動させる。    【選択図】    図１
2005042611.tif 000002
【特許請求の範囲】
【請求項１】
少なくとも車速とブレーキ操作状態とを含む複数の車両運転状態を検出する運転状態検出手段と、該検出手段で検出された車両運転状態から車両停車時に所定のエンジン停止条件が成立したと判断されるときはエンジンを自動停止させ、そのエンジン自動停止状態において所定のエンジン再始動条件が成立したと判断されるときはエンジンを自動再始動させるエンジン自動停止・再始動手段とを備える車両用エンジン制御装置であって、上記エンジン自動停止・再始動手段は、上記エンジン再始動条件として、ブレーキの踏込み速度が所定速度以上でブレーキの踏込量が所定量を超えたときにエンジンを再始動させるように構成されていることを特徴とする車両用エンジン制御装置。
【請求項２】
車両の停車時にその停車環境を検出する停車環境検出手段と、該検出手段で車両が交差点内又は横断歩道の直前で停車していると検出されたときは、検出されないときに比べて、ブレーキ踏込量の所定量を増大補正する所定量補正手段とを備えることを特徴とする請求項１に記載の車両用エンジン制御装置。
【請求項３】
車両の停車時にその停車環境を検出する停車環境検出手段と、該検出手段で車両が渋滞で停車しており、かつ先行車との距離が所定距離以上であると検出されたときは、検出されないときに比べて、ブレーキ踏込量の所定量を減少補正する所定量補正手段とを備えることを特徴とする請求項１に記載の車両用エンジン制御装置。
【請求項４】
少なくとも車速とブレーキ操作状態とを含む複数の車両運転状態を検出する運転状態検出手段と、該検出手段で検出された車両運転状態から車両停車時に所定のエンジン停止条件が成立したと判断されるときはエンジンを自動停止させ、そのエンジン自動停止状態において所定のエンジン再始動条件が成立したと判断されるときはエンジンを自動再始動させるエンジン自動停止・再始動手段とを備える車両用エンジン制御装置であって、車両の停車時にその停車環境を検出する停車環境検出手段を備え、該検出手段で車両がエンジンの再始動に伴う車両の前方移動を抑制したい環境で停車していると検出されたときは、上記エンジン自動停止・再始動手段は、上記エンジン再始動条件として、ブレーキが踏込操作されたときにエンジンを再始動させ、上記検出手段で車両がエンジンの再始動に伴う車両の前方移動を抑制したい環境で停車していないと検出されたときは、上記エンジン自動停止・再始動手段は、上記エンジン再始動条件として、ブレーキが開放操作されたときにエンジンを再始動させるように構成されていることを特徴とする車両用エンジン制御装置。
【請求項５】
車両の停車環境に応じて変化するエンジン再始動条件を運転者に報知する報知手段を備えることを特徴とする請求項４に記載の車両用エンジン制御装置。
【発明の詳細な説明】
【技術分野】
【０００１】
本発明は、車両用エンジン制御装置、特に、エンジンが自動停止及び自動再始動されるアイドルストップ車両等の環境対応型車両における車両用エンジンの制御装置の技術分野に属する。
【背景技術】
【０００２】
一般に、燃費の改善、エミッションの低減、騒音・振動の抑制等を図るアイドルストップ車両では、車両の停車時に、例えば車速がゼロでブレーキペダルが踏込操作されている、といった所定のエンジン停止条件が成立したときは、エンジンが自動停止され、次に、そのエンジンの自動停止状態において、所定のエンジン再始動条件が成立したときには、エンジンが自動再始動される。
【０００３】
その場合に、従来より、上記エンジンの再始動条件としては、特許文献１に開示されるように、ブレーキペダルが所定量を超えて開放操作（戻し操作）されたときに、運転者は発進の意思を有しているとして、エンジンが自動再始動されるのが通例であった。
【０００４】
【特許文献１】特開２００１−２２７３７３号公報
【発明の開示】
【発明が解決しようとする課題】
【０００５】
しかし、上記従来のエンジン再始動条件では、ブレーキペダルの開放操作をきっかけとしてエンジンが再始動されるから、エンジンが再始動されたときには車両の制動力が弱まっており、たとえそのときまだアクセルペダルが踏み込まれていなくても、エンジン出力により車両が前方に移動する可能性がある。その結果、運転者は、車両の前方移動を阻止しようとして、上記ブレーキペダルの開放操作の後、すぐにまたブレーキペダルを踏込操作することになり、運転者は、短時間のうちにブレーキペダルの開放操作と踏込操作という逆の操作を続けて行うことになって、ブレーキ操作性が低下する。そして、このようなブレーキペダルの再踏込み及びそれに伴う操作性の低下は、車両がエンジンの再始動に伴う車両の前方移動を抑制したい環境で停車しているような場合、換言すれば、車両が前方に移動すると安全性の面で好ましくない環境で停車しているような場合においてなおさら頻発する。
【０００６】
本発明は、上記現状に鑑み、エンジン再始動時に車両が前方移動するのを確実に防止して、運転者のブレーキ操作性を損なわないようにすることを課題とする。以下、その他の課題を含め、本発明を詳しく説明する。
【課題を解決するための手段】
【０００７】
すなわち、本願の請求項１に記載の発明は、少なくとも車速とブレーキ操作状態とを含む複数の車両運転状態を検出する運転状態検出手段と、該検出手段で検出された車両運転状態から車両停車時に所定のエンジン停止条件が成立したと判断されるときはエンジンを自動停止させ、そのエンジン自動停止状態において所定のエンジン再始動条件が成立したと判断されるときはエンジンを自動再始動させるエンジン自動停止・再始動手段とを備える車両用エンジン制御装置であって、上記エンジン自動停止・再始動手段は、上記エンジン再始動条件として、ブレーキの踏込速度が所定速度以上でブレーキの踏込量が所定量を超えたときにエンジンを再始動させるように構成されていることを特徴とする。
【０００８】
次に、請求項２に記載の発明は、上記請求項１に記載の発明において、車両の停車時にその停車環境を検出する停車環境検出手段と、該検出手段で車両が交差点内又は横断歩道の直前で停車していると検出されたときは、検出されないときに比べて、ブレーキ踏込量の所定量を増大補正する所定量補正手段とを備えることを特徴とする。
【０００９】
次に、請求項３に記載の発明は、上記請求項１に記載の発明において、車両の停車時にその停車環境を検出する停車環境検出手段と、該検出手段で車両が渋滞で停車しており、かつ先行車との距離が所定距離以上であると検出されたときは、検出されないときに比べて、ブレーキ踏込量の所定量を減少補正する所定量補正手段とを備えることを特徴とする。
【００１０】
次に、請求項４に記載の発明は、少なくとも車速とブレーキ操作状態とを含む複数の車両運転状態を検出する運転状態検出手段と、該検出手段で検出された車両運転状態から車両停車時に所定のエンジン停止条件が成立したと判断されるときはエンジンを自動停止させ、そのエンジン自動停止状態において所定のエンジン再始動条件が成立したと判断されるときはエンジンを自動再始動させるエンジン自動停止・再始動手段とを備える車両用エンジン制御装置であって、車両の停車時にその停車環境を検出する停車環境検出手段を備え、該検出手段で車両がエンジンの再始動に伴う車両の前方移動を抑制したい環境で停車していると検出されたときは、上記エンジン自動停止・再始動手段は、上記エンジン再始動条件として、ブレーキが踏込操作されたときにエンジンを再始動させ、上記検出手段で車両がエンジンの再始動に伴う車両の前方移動を抑制したい環境で停車していないと検出されたときは、上記エンジン自動停止・再始動手段は、上記エンジン再始動条件として、ブレーキが開放操作されたときにエンジンを再始動させるように構成されていることを特徴とする。
【００１１】
次に、請求項５に記載の発明は、上記請求項４に記載の発明において、車両の停車環境に応じて変化するエンジン再始動条件を運転者に報知する報知手段を備えることを特徴とする。
【発明の効果】
【００１２】
まず、上記請求項１に記載の発明によれば、エンジンの自動停止及び自動再始動が行われるアイドルストップ車両等の環境対応型車両において、エンジンの再始動条件として、ブレーキの踏込速度が所定速度以上で且つブレーキの踏込量が所定量を超えたときにエンジンが再始動されるようにしたから、エンジンが再始動されたときには車両の制動力が十分確保されており、またアクセルペダルの踏込みもないので、車両がエンジン出力により前方移動することが確実に防止される。したがって、運転者が短時間のうちにブレーキペダルの開放操作と踏込操作という逆の操作を続けて行うことが回避され、運転者のブレーキ操作性も低下しない。
【００１３】
なお、ここで、上記エンジンの再始動条件として、単に、ブレーキの踏込量が所定量を超えたときにエンジンが再始動されるのではなく、ブレーキの踏込速度が所定速度以上という条件を加えたのは、運転者の明確な意思を伴ったブレーキの踏込操作に限定し、運転者の無意識のうちのゆっくりとしたブレーキの踏込操作を排除するためである。後者のような場合にエンジンが再始動されると過度の違和感が生じて好ましくない。
【００１４】
次に、上記請求項２に記載の発明によれば、車両が例えば右折待ちにより交差点内で停車していたり、又は横断歩道の直前で停車しているとき、換言すれば、車両がエンジンの再始動に伴う車両の前方移動を強く抑制したい環境で停車しているときは、上記エンジン再始動条件としてのブレーキ踏込量の所定量が相対的に大きくされるから、エンジンが再始動されたときの車両の制動力がより大きくなって、車両がエンジン出力により前方移動することがより一層確実に防止される。
【００１５】
一方、車両が上記のような環境で停車していないときは、上記エンジン再始動条件としてのブレーキ踏込量の所定量が相対的に大きくされないから、エンジンが再始動されたときの車両の制動力が相対的に小さくなって、車両の発進応答性が確保される。
【００１６】
次に、上記請求項３に記載の発明によれば、車両が渋滞で停車しており、かつ先行車との距離が所定距離以上であるとき、換言すれば、車両がエンジンの再始動に伴う車両の前方移動を強く抑制するまでもない環境で停車しているときは、上記エンジン再始動条件としてのブレーキ踏込量の所定量が相対的に小さくされるから、エンジンが再始動されたときの車両の制動力が相対的に小さくなって、車両の発進応答性が確保される。
【００１７】
次に、上記請求項４に記載の発明によれば、車両がエンジンの再始動に伴う車両の前方移動を抑制したい環境で停車しているときは、上記エンジン再始動条件として、ブレーキが踏込操作されたときにエンジンが自動再始動されるようにしたから、請求項１に記載の発明と同様、エンジンが再始動されたときには車両の制動力が十分確保されており、またアクセルペダルの踏込みもないので、車両がエンジン出力により前方移動することが確実に防止されると共に、運転者が短時間のうちにブレーキペダルの開放操作と踏込操作という逆の操作を続けて行うことも回避されて、運転者のブレーキ操作性も低下しない。
【００１８】
一方、逆に、車両がエンジンの再始動に伴う車両の前方移動を抑制したい環境で停車していないときは、上記エンジン再始動条件として、ブレーキが開放操作されたときにエンジンが自動再始動されるようにしたから、運転者の発進の意思が適切に反映されて、車両の発進応答性が確保される。
【００１９】
そして、上記請求項５に記載の発明によれば、上記のように車両の停車環境に応じて変化するエンジン再始動条件が運転者に報知されるから、運転者は、エンジン再始動のタイミングが状況に応じて変化することに違和感を感じることが少なくなる。以下、発明を実施するための最良の形態を通して、本発明をさらに詳しく説明する。
【発明を実施するための最良の形態】
【００２０】
本実施形態においては、本発明は、図１に示す車両１に適用されている。この車両１は、アイドルストップ車両であって、車両１の停車時に、所定のエンジン停止条件Ｊ１が成立したときは、エンジン１０が自動的に停止され（アイドルストップの開始・実行）、次に、そのエンジン１０の自動停止状態（アイドルストップ状態）において、所定のエンジン再始動条件Ｊ２が成立したときには、エンジン１０が自動的に再始動される（アイドルストップの解除）。本実施形態では、上記エンジン停止条件（アイドルストップ条件）Ｊ１は、車速がゼロで、かつブレーキペダル３０が踏込操作されていることである。また、上記エンジン再始動条件（アイドルストップ解除条件）Ｊ２は、ブレーキペダル３０の踏込速度が所定速度以上で且つ該ブレーキペダル３０の踏込量が所定量（アイドルストップ解除閾値）を超えたことである。
【００２１】
上記車両１のエンジン制御用コントロールユニット２０は、ブレーキペダル３０の踏込量や開放量（戻し量）あるいは踏込速度や開放速度（戻し速度）等を検出するブレーキ操作量検出手段（例えば該ペダル３０のストロークセンサやブレーキ圧センサ等で構成される）３１、車両１の車速を検出する車速検出手段（例えば車速センサ等で構成される）３２、車両１の現在位置を検出する現在位置検出手段（例えばＧＰＳ：グローバル・ポジショニング・システム等で構成される）３３、車両１の周辺のインフラ情報を受信するインフラ情報受信手段（例えば専用アンテナ等で構成される）３４、及び前方の先行車との車間距離を検出する車間距離検出手段（例えばミリ波レーダ等で構成される）３５等から各種信号を入力する。また、エンジン制御用コントロールユニット２０は、国内の地図情報を記憶する地図情報記憶手段（例えば地図ソフトを格納したＣＤ−ＲＯＭやＤＶＤ−ＲＯＭ等で構成される）４０にアクセス可能であり、該記憶手段４０から上記地図情報を読み込む。
【００２２】
エンジン制御用コントロールユニット２０は、これらの各種信号および情報に基いて、アイドルストップ実行判定部２１で、上記エンジン停止条件Ｊ１が成立したか否かを判定し、アイドルストップ解除判定部２２で、上記エンジン再始動条件Ｊ２が成立したか否かを判定し、車両停車環境検知部２３で、車両１が停車している環境を検知し、再始動条件設定部２４で、上記エンジン再始動条件Ｊ２を状況に応じて変更する。そして、エンジン制御用コントロールユニット２０は、これらの制御結果に基いて、エンジン１０の燃料噴射弁１１及び点火栓１２に制御信号を出力し、また運転席前方に配置された表示装置５０に表示信号を出力する。
【００２３】
次に、図２のフローチャートに従って、この環境対応型車両１におけるエンジン１０の自動停止及び自動再始動の具体的動作の１例を説明する。まず、ステップＳ１で、各種信号を入力したうえで、ステップＳ２で、アイドルストップ中か否かを判定し、ＮＯの場合（アイドルストップ中でない場合）は、ステップＳ３で、アイドルストップ条件Ｊ１が成立しているか否かを判定する。ここで、アイドルストップ条件Ｊ１は、前述したように、車速がゼロで、かつブレーキペダル３０が踏込操作されていることである。その結果、ＮＯの場合（アイドルストップ条件Ｊ１が成立していない場合）は、そのままリターンし、ＹＥＳの場合（アイドルストップ条件Ｊ１が成立している場合）は、ステップＳ４で、アイドルストップを実行して（エンジン１０の自動停止：燃料噴射停止及び点火停止）、リターンする。
【００２４】
一方、上記ステップＳ２でＹＥＳの場合（アイドルストップ中である場合）は、ステップＳ５で、車両１の停車環境が交差点内又は横断歩道の直前か否かを判定する。すなわち、車両１が例えば右折待ちにより交差点内で停車しているか又は横断歩道の直前で停車しているかを判定するのである。
【００２５】
なお、このような車両１の停車環境を判定するのは、前述したように、エンジン制御用コントロールユニット２０の車両停車環境検知部２３であるが、その場合に、車両停車環境検知部２３は、現在位置検出手段３３やインフラ情報受信手段３４及び車間距離検出手段３５あるいは地図情報記憶手段４０等から得られた信号や情報を十分に活用する。
【００２６】
その結果、ステップＳ５の判定がＹＥＳの場合は、車両１がエンジン１０の再始動に伴う前方移動を強く抑制したい環境、つまり車両１が前方に移動すると安全性の面で好ましくない環境で停車していると判断して、ステップＳ６で、アイドルストップ解除閾値を増大補正する。すなわち、所定の基準値に増大補正量αを加算した値をアイドルストップ解除閾値とする。
【００２７】
一方、上記ステップＳ５でＮＯの場合は、ステップＳ７で、車両１の停車環境が渋滞かつ先行車との距離が所定距離以上か否かを判定する。すなわち、車両１が渋滞で停車しており、かつ先行車との車間距離が所定距離以上開いているかを判定するのである。その結果、ＹＥＳの場合は、車両１がエンジン１０の再始動に伴う前方移動を強く抑制するまでもない環境で停車していると判断して、ステップＳ８で、アイドルストップ解除閾値を減少補正する。すなわち、所定の基準値から減少補正量βを減算した値をアイドルストップ解除閾値とする。
【００２８】
これらに対して、上記ステップＳ７でＮＯの場合は、車両１が通常の環境で停車していると判断する。そして、アイドルストップ解除閾値の補正を行わず、所定の基準値をそのままアイドルストップ解除閾値に採用する。
【００２９】
そして、いずれの場合も、ステップＳ９で、ブレーキペダル３０の踏込速度が所定速度以上で且つ該ブレーキペダル３０の踏込量が上記アイドルストップ解除閾値を超えて大きいか否かを判定する。すなわち、アイドルストップ解除条件Ｊ２が成立しているか否かを判定するのである。その結果、ＮＯの場合（アイドルストップ条件Ｊ２が成立していない場合）は、そのままリターンし（アイドルストップの続行）、ＹＥＳの場合（アイドルストップ条件Ｊ２が成立している場合）は、ステップＳ１０で、アイドルストップを解除して（エンジン１０の自動再始動：燃料噴射再開及び点火再開）、リターンする。
【００３０】
なお、ここで、上記アイドルストップ解除条件Ｊ２としてのブレーキペダル３０の踏込速度の所定速度は、例えば、運転者が意思を持ってブレーキペダル３０を踏込操作する場合のその踏込速度を予め実験的に求めておくこともできるし、またシミュレーション等で求めておくことも可能である。
【００３１】
このように、本実施形態では、ステップＳ９〜Ｓ１０から明らかなように、エンジン再始動条件Ｊ２として、ブレーキペダル３０の踏込速度が所定速度以上で且つ該ブレーキペダル３０の踏込量が所定のアイドルストップ解除閾値を超えたときにエンジン１０が自動再始動される（図３の時刻ｔ１）。したがって、エンジン１０が再始動されたときには車両１の制動力が十分確保されている。しかも、ブレーキペダル３０が踏み込まれているのであるから、アクセルペダル（図示せず）が同時に踏み込まれているということもない。よって、車両１がエンジン１０の出力により前方に移動することが確実に防止される。その結果、運転者が短時間のうちにブレーキペダル３０の開放操作と踏込操作という逆の操作を続けて行うことが回避され、運転者のブレーキペダル３０の操作性も低下しない。
【００３２】
また、ステップＳ５〜Ｓ６から明らかなように、車両１がエンジン１０の再始動に伴う前方移動を抑制したい環境で停車しているときは、エンジン再始動条件Ｊ２としてのアイドルストップ解除閾値が増大補正される。したがって、エンジン１０が再始動されたときの車両１の制動力がより大きくなって、車両１がエンジン１０の出力により前方移動することがより一層確実に防止される。
【００３３】
一方、ステップＳ７〜Ｓ８から明らかなように、車両１がエンジン１０の再始動に伴う前方移動を強く抑制するまでもない環境で停車しているときは、車両１が前方に移動しても安全性の面でそれほど重大な結果を及ぼさないので、エンジン再始動条件Ｊ２としてのアイドルストップ解除閾値が減少補正される。したがって、エンジン１０が再始動されたときの車両１の制動力が相対的に小さくなって、車両１の発進応答性が確保される。
【００３４】
そして、車両１の停車環境が通常の停車環境であるときは、エンジン再始動条件Ｊ２としてのアイドルストップ解除閾値が増大補正も減少補正もされない（ステップＳ６，Ｓ８をスキップ）。したがって、アイドルストップ解除閾値がむやみに大きくされて、車両１の発進応答性が徒に損なわれる、といった不具合が回避される。
【００３５】
次に、図４のフローチャートに従って、この環境対応型車両１におけるエンジン１０の自動停止及び自動再始動の具体的動作の第２例を説明する。まず、ステップＳ２１で、各種信号を入力したうえで、ステップＳ２２で、アイドルストップ中か否かを判定し、ＮＯの場合（アイドルストップ中でない場合）は、ステップＳ２３で、アイドルストップ条件Ｊ１が成立しているか否かを判定する。ここで、アイドルストップ条件Ｊ１は、前述したように、車速がゼロで、かつブレーキペダル３０が踏込操作されていることである。その結果、ＮＯの場合（アイドルストップ条件Ｊ１が成立していない場合）は、そのままリターンし、ＹＥＳの場合（アイドルストップ条件Ｊ１が成立している場合）は、ステップＳ２４で、アイドルストップを実行して（エンジン１０の自動停止：燃料噴射停止及び点火停止）、リターンする。
【００３６】
一方、上記ステップＳ２２でＹＥＳの場合（アイドルストップ中である場合）は、ステップＳ２５で、車両１の停車環境がエンジン１０の再始動に伴う車両１の前方移動を抑制したい環境か否か（車両１が例えば右折待ちにより交差点内で停車しているか又は横断歩道の直前で停車しているか）を判定する。その結果、ＹＥＳの場合は、車両１が前方に移動すると安全性の面で好ましくないと判断して、ステップＳ２６で、アイドルストップ解除条件として、ブレーキペダル３０が踏込操作されたときにエンジン１０を再始動することを採用し（解除条件Ｊ２ａ）、そのような内容の解除条件Ｊ２ａを採用したことを表示装置５０を使って視覚や聴覚を通して運転者に報知する。
【００３７】
なお、ここで、上記アイドルストップ解除条件として、先の制御第１例に準じて、ブレーキペダル３０の踏込速度が所定速度以上で該ブレーキペダル３０が踏込操作されたときにエンジン１０を再始動することを採用してもよい（解除条件Ｊ２ａ′）。
【００３８】
そして、ステップＳ２７で、ブレーキペダル３０の踏込量が所定のアイドルストップ解除閾値Ａを超えて大きいか否かを判定する。すなわち、アイドルストップ解除条件Ｊ２ａが成立しているか否かを判定するのである。その結果、ＮＯの場合（アイドルストップ条件Ｊ２ａが成立していない場合）は、そのままリターンし（アイドルストップの続行）、ＹＥＳの場合（アイドルストップ条件Ｊ２ａが成立している場合）は、ステップＳ２８で、アイドルストップを解除して（エンジン１０の自動再始動：燃料噴射再開及び点火再開）、リターンする。
【００３９】
一方、上記ステップＳ２５でＮＯの場合は、車両１が前方に移動しても安全性の面でそれほど重大な結果を及ぼさないと判断して、ステップＳ２９で、アイドルストップ解除条件として、ブレーキペダル３０が開放操作されたときにエンジン１０を再始動することを採用し（解除条件Ｊ２ｂ）、そのような内容の解除条件Ｊ２ｂを採用したことを表示装置５０を使って視覚や聴覚を通して運転者に報知する。
【００４０】
そして、ステップＳ３０で、ブレーキペダル３０の開放量（戻し量）が所定のアイドルストップ解除閾値Ｂを超えて大きいか否かを判定する。すなわち、アイドルストップ解除条件Ｊ２ｂが成立しているか否かを判定するのである。その結果、ＮＯの場合（アイドルストップ条件Ｊ２ｂが成立していない場合）は、そのままリターンし（アイドルストップの続行）、ＹＥＳの場合（アイドルストップ条件Ｊ２ｂが成立している場合）は、ステップＳ２８で、アイドルストップを解除して（エンジン１０の自動再始動：燃料噴射再開及び点火再開）、リターンする。
【００４１】
このように、本実施形態の第２の動作例では、ステップＳ２５〜Ｓ２８から明らかなように、車両１がエンジン１０の再始動に伴う車両１の前方移動を抑制したい環境で停車しているときは、エンジン再始動条件として、ブレーキペダル３０が踏込操作されたときにエンジン１０が再始動される（図５の時刻ｔ１１）。したがって、図２及び図３の第１の動作例と同様、エンジン１０が再始動されたときには車両１の制動力が十分確保されている。しかも、ブレーキペダル３０が踏み込まれているのであるから、アクセルペダル（図示せず）が同時に踏み込まれているということもない。よって、車両１がエンジン１０の出力により前方に移動することが確実に防止される。その結果、運転者が短時間のうちにブレーキペダル３０の開放操作と踏込操作という逆の操作を続けて行うことが回避され、運転者のブレーキペダル３０の操作性も低下しない。
【００４２】
一方、ステップＳ２５，Ｓ２９〜Ｓ３０，Ｓ２８から明らかなように、逆に、車両１がエンジン１０の再始動に伴う車両１の前方移動を抑制するまでもない環境で停車しているときは、エンジン再始動条件として、ブレーキペダル３０が開放操作されたときにエンジン１０が再始動される（図５の時刻ｔ１２）。したがって、この場合は、運転者の発進の意思が適切に反映されて、車両１の発進応答性が確保される。
【００４３】
そして、ステップＳ２６，Ｓ２９から明らかなように、いずれの場合も、車両１の停車環境に応じて変化するエンジン再始動条件Ｊ２ａ，Ｊ２ｂを運転者に報知するようにしたから、運転者は、車両１の停車環境に応じてエンジン再始動条件が変化し、実際にエンジン１０の再始動のタイミングが変化することに違和感を感じることが少なくなる。
【００４４】
なお、以上説明した実施形態は、本発明を実施するための最良の形態ではあるが、車種や使用目的等の状況に応じて、なお変更が可能なことはいうまでもない。例えば、車両の前方移動を抑制したい環境の例として、他にも、踏切の先頭待ち等を加えてもよい。
【００４５】
また、上記実施形態では、ブレーキペダル３０を踏込操作する場合の解除閾値を、該ブレーキペダル３０の踏込量そのものの値とし（図３のアイドルストップ解除閾値及び図５の解除閾値Ａ参照）、一方、ブレーキペダル３０を開放操作する場合の解除閾値を、車両停車時におけるブレーキペダル３０の踏込量からの戻し量としたが（図５の解除閾値Ｂ参照）、これらに限らず、逆に、ブレーキペダル３０を踏込操作する場合の解除閾値を、車両停車時におけるブレーキペダル３０の踏込量からの踏み増し量とし、一方、ブレーキペダル３０を開放操作する場合の解除閾値を、該ブレーキペダル３０の踏込量そのものの値等とすることも可能である。
【産業上の利用可能性】
【００４６】
以上のように、本発明によれば、エンジン再始動時における車両の前方移動が確実に防止されるから、運転者がブレーキペダルを再踏込みする等、ブレーキ操作性が低減することがない。本発明は、アイドルストップ車両等の環境対応型車両を含む車両用エンジン制御装置一般の技術分野において幅広い産業上の利用可能性を有する。
【図面の簡単な説明】
【００４７】
【図１】本発明を実施するための最良の形態に係る車両用エンジンの制御システム図である。
【図２】上記車両のエンジンの自動停止及び自動再始動の具体的動作の第１例を示すフローチャートである。
【図３】同、第１例におけるタイムチャートである。
【図４】上記車両のエンジンの自動停止及び自動再始動の具体的動作の第２例を示すフローチャートである。
【図５】同、第２例におけるタイムチャートである。
【符号の説明】
【００４８】
１        アイドルストップ車両（環境対応型車両）
１０      エンジン
２０      エンジン制御用コントロールユニット（エンジン自動停止・再始動手段）
２１      アイドルストップ実行判定部
２２      アイドルストップ解除判定部
２３      車両停車環境検知部（停車環境検出手段）
２４      再始動条件設定部（所定量補正手段）
３０      ブレーキペダル
３１      ブレーキ操作量検出手段（運転状態検出手段）
３２      車速検出手段（運転状態検出手段）
３３      現在位置検出手段
３４      インフラ情報受信手段
３５      車間距離検出手段
４０      地図情報記憶手段
５０      表示装置（報知手段）
【図１】
2005042611.tif 000003
【図２】
2005042611.tif 000004
【図３】
2005042611.tif 000005
【図４】
2005042611.tif 000006
【図５】
2005042611.tif 000007